(57)【要約】【課題】ウェブ検索システムを通じて当事者間の合言葉となるキーワードにより、個人間のメッセージを強力なインパクトで伝達する。【解決手段】サーバ装置１の入力受付手段１０が、クライアントシステムから、メッセージと、前記メッセージを表示するキーとなるキーワードと、について入力を受け付けるとともに、それらメッセージとキーワードとを対応付けて所定のメッセージ記憶手段２０に記憶させる。メッセージ取得手段４０は、検索語句の入力に際して所定の操作が行われた場合に、メッセージ記憶手段２０を参照することにより、その検索語句と一致するキーワードを検索するとともに、その一致するキーワードが記憶されているときは対応する前記メッセージを取得する。そのメッセージを、メッセージ表示手段５０が検索語句の入力を行ったクライアントシステムに表示させる。【選択図】図１
2010250785.tif 000002
【特許請求の範囲】
【請求項１】
コンピュータで実現するサーバ装置において、
通信ネットワーク経由でアクセスしてくるクライアントシステムから、メッセージと、前記メッセージを表示するキーとなるキーワードと、について入力を受け付けるとともに、それらメッセージとキーワードとを対応付けて所定のメッセージ記憶手段に記憶させる入力受付手段と、
いずれかのクライアントシステムから、検索語句の入力を受け付ける語句受付手段と、
前記検索語句の入力に際してその入力を行ったクライアントシステムから所定の操作が行われた場合に、前記メッセージ記憶手段を参照することにより、その検索語句と一致するキーワードを検索するとともに、その一致するキーワードが記憶されているときは対応する前記メッセージを取得するメッセージ取得手段と、
前記メッセージ取得手段により前記メッセージが取得された場合に、そのメッセージを、前記検索語句の入力を行ったクライアントシステムに表示させるメッセージ表示手段と、
前記検索語句の入力に際して前記検索語句の入力を行ったクライアントシステムから前記所定の操作が行われなかった場合には、入力された前記検索語句に関連するウェブサイトの検索結果を前記検索語句の入力を行ったクライアントシステムに表示させる検索表示手段と、
をコンピュータで実現することを特徴とするサーバ装置。
【請求項２】
前記所定の操作は、予め決められた所定の予約語を前記検索語句とともに入力することである
ことを特徴とする請求項１記載のサーバ装置。
【請求項３】
前記入力受付手段は、前記メッセージごとに、配信時期について、指定を受け付けるとともにそのメッセージ及びキーワードと対応付けて前記メッセージ記憶手段に記憶させ、
前記メッセージ表示手段は、前記メッセージ記憶手段に記憶されているキーワードと一致する前記検索語句が入力された日時が、そのキーワードと対応付けられている前記配信時期と適合する場合に、そのキーワード及び配信時期と対応付けられたメッセージを、前記検索語句の入力を行ったクライアントシステムに表示させる
ことを特徴とする請求項１又は２記載のサーバ装置。
【請求項４】
コンピュータで実現するサーバ装置で実行する情報処理方法において、
通信ネットワーク経由でアクセスしてくるクライアントシステムから、メッセージと、前記メッセージを表示するキーとなるキーワードと、について入力を受け付けるとともに、それらメッセージとキーワードとを対応付けて所定のメッセージ記憶手段に記憶させる入力受付処理ステップと、
いずれかのクライアントシステムから、検索語句の入力を受け付ける語句受付処理ステップと、
前記検索語句の入力に際してその入力を行ったクライアントシステムから所定の操作が行われた場合に、前記メッセージ記憶手段を参照することにより、その検索語句と一致するキーワードを検索するとともに、その一致するキーワードが記憶されているときは対応する前記メッセージを取得するメッセージ取得処理ステップと、
前記メッセージ取得処理ステップにより前記メッセージが取得された場合に、そのメッセージを、前記検索語句の入力を行ったクライアントシステムに表示させるメッセージ表示処理ステップと、
前記検索語句の入力に際して前記検索語句の入力を行ったクライアントシステムから前記所定の操作が行われなかった場合には、入力された前記検索語句に関連するウェブサイトの検索結果を前記検索語句の入力を行ったクライアントシステムに表示させる検索表示処理ステップと、
を前記コンピュータで実行することを特徴とする情報処理方法。
【発明の詳細な説明】
【技術分野】
【０００１】  本発明は、通信ネットワーク経由でメッセージを伝達する技術に関する。
【背景技術】
【０００２】  インターネット上では、サービスが工夫されている。例えば、個人間の情報伝達サービスとして電子メールやインスタントメッセージなどがあり、不特定多数を対象としたサービスとして、検索システムがある。検索システムは、検索画面の入力欄にユーザが所望の語句を入力して所定の操作をすると、その語句に関連深いウェブサイトのリストを表示するもので、いわゆるポータルサイトで人気の機能ともなっている。
【先行技術文献】
【非特許文献】
【０００３】
【非特許文献１】ヤフー株式会社、「Ｙａｈｏｏ！グルメ」、［ｏｎｌｉｎｅ］、［２００９年４月１０日検索］、インターネット〈ＵＲＬ：ｈｔｔｐ：／／ｓｅａｒｃｈ．ｙａｈｏｏ．ｃｏ．ｊｐ／ｐｒｏｍｏ／ｄｉｒｅｃｔ．ｈｔｍｌ〉
【発明の概要】
【発明が解決しようとする課題】
【０００４】  従来、上記のような検索システムと個人間の情報伝達は、相互に異質な両極の存在で、両者を関連付けてより有効に活用する技術は存在しなかった。なお、検索システムに事前に特別な設定を行うことで、検索語句欄に「グルメ！」のような特定の語句を入力した場合に、検索結果ではなく特定のページ（例えば「Ｙａｈｏｏ！グルメ」）に直接遷移する例は存在するが（非特許文献１参照）、個人間の情報伝達に関するものではなかった。【０００５】  本発明は、上記のような背景に基づくもので、その目的は、ウェブ検索システムを通じて当事者間の合言葉となるキーワードにより、個人間のメッセージを強力なインパクトで伝達することである。
【課題を解決するための手段】
【０００６】  上記の目的をふまえ、本発明の一態様は、コンピュータで実現するサーバ装置において、通信ネットワーク経由でアクセスしてくるクライアントシステムから、メッセージと、前記メッセージを表示するキーとなるキーワードと、について入力を受け付けるとともに、それらメッセージとキーワードとを対応付けて所定のメッセージ記憶手段に記憶させる入力受付手段と、いずれかのクライアントシステムから、検索語句の入力を受け付ける語句受付手段と、前記検索語句の入力に際してその入力を行ったクライアントシステムから所定の操作が行われた場合に、前記メッセージ記憶手段を参照することにより、その検索語句と一致するキーワードを検索するとともに、その一致するキーワードが記憶されているときは対応する前記メッセージを取得するメッセージ取得手段と、前記メッセージ取得手段により前記メッセージが取得された場合に、そのメッセージを、前記検索語句の入力を行ったクライアントシステムに表示させるメッセージ表示手段と、前記検索語句の入力に際して前記検索語句の入力を行ったクライアントシステムから前記所定の操作が行われなかった場合には、入力された前記検索語句に関連するウェブサイトの検索結果を前記検索語句の入力を行ったクライアントシステムに表示させる検索表示手段と、をコンピュータで実現することを特徴とする。【０００７】  上記を方法の態様で把握すれば、コンピュータで実現するサーバ装置で実行する情報処理方法において、通信ネットワーク経由でアクセスしてくるクライアントシステムから、メッセージと、前記メッセージを表示するキーとなるキーワードと、について入力を受け付けるとともに、それらメッセージとキーワードとを対応付けて所定のメッセージ記憶手段に記憶させる入力受付処理ステップと、いずれかのクライアントシステムから、検索語句の入力を受け付ける語句受付処理ステップと、前記検索語句の入力に際してその入力を行ったクライアントシステムから所定の操作が行われた場合に、前記メッセージ記憶手段を参照することにより、その検索語句と一致するキーワードを検索するとともに、その一致するキーワードが記憶されているときは対応する前記メッセージを取得するメッセージ取得処理ステップと、前記メッセージ取得処理ステップにより前記メッセージが取得された場合に、そのメッセージを、前記検索語句の入力を行ったクライアントシステムに表示させるメッセージ表示処理ステップと、前記検索語句の入力に際して前記検索語句の入力を行ったクライアントシステムから前記所定の操作が行われなかった場合には、入力された前記検索語句に関連するウェブサイトの検索結果を前記検索語句の入力を行ったクライアントシステムに表示させる検索表示処理ステップと、を前記コンピュータで実行することを特徴とする。【０００８】  このように、送信者が予めメッセージと対応付けて登録したキーワードを、ウェブ検索時に所定操作とともに入力してもらい、検索結果に代えて対応するメッセージを表示することにより、個人的メッセージを予期せぬ意外性のある強力なインパクトで伝達できる。【０００９】  本発明の他の態様は、上記いずれかの態様において、前記所定の操作は、予め決めら���た所定の予約語を前記検索語句とともに入力することであることを特徴とする。【００１０】  このように、検索語句から対応するメッセージを表示する所定の操作として、検索語句とともに所定の予約語を入力したことを契機とすることにより、所定の操作を受け付けるために機能呼出ボタンなどを別途設けることが不要となり、ユーザインタフェースが明快となる。【００１１】  本発明の他の態様は、上記いずれかの態様において、前記入力受付手段は、前記メッセージごとに、配信時期について、指定を受け付けるとともにそのメッセージ及びキーワードと対応付けて前記メッセージ記憶手段に記憶させ、前記メッセージ表示手段は、前記メッセージ記憶手段に記憶されているキーワードと一致する前記検索語句が入力された日時が、そのキーワードと対応付けられている前記配信時期と適合する場合に、そのキーワード及び配信時期と対応付けられたメッセージを、前記検索語句の入力を行ったクライアントシステムに表示させることを特徴とする。【００１２】  このように、メッセージを表示したい日時を送信側ユーザが自由に指定できる構成により、誕生日祝いなどメッセージの趣旨に応じたタイミングでの伝達を図ることができる。【００１３】  また、本発明は、上記各態様における装置又は方法に限らず、それら装置又は方法に対応する方法、装置又はコンピュータ・プログラムの態様も含むものである。
【発明の効果】
【００１４】  以上のように、本発明によれば、ウェブ検索システムを通じて当事者間の合言葉となるキーワードにより、個人間のメッセージを強力なインパクトで伝達することが可能となる。
【図面の簡単な説明】
【００１５】
【図１】本発明の実施形態の構成を、画面例及びデータ例と共に示す機能ブロック図。
【図２】本発明の実施形態における処理手順を示すフローチャート。
【図３】本発明の実施形態における他の画面例を示す図。
【発明を実施するための形態】
【００１６】  次に、本発明を実施するための形態（「実施形態」と呼ぶ）について、図に沿って説明する。なお、背景技術や課題などで既に述べた内容と共通の前提事項については適宜省略する。
【００１７】〔１．構成〕
本実施形態は、図１（構成図）に示すサーバ装置（以下「本装置」とも呼ぶ）に関するもので、本装置に対応する方法やコンピュータ・プログラムとしても把握可能である。
【００１８】  本装置１は、通信ネットワーク（図示省略）経由でアクセスしてくるクライアントシステム（パーソナルコンピュータＰＣ１，ＰＣ２や携帯電話端末装置など）にウェブページの表示を提供するウェブサーバ装置で、図１に示すように、一般的なコンピュータの構成として、少なくとも、ＣＰＵなどの演算制御部５と、外部記憶装置（ＨＤＤ等）や主メモリ等の記憶装置６と、通信ネットワークとの通信手段７（ＬＡＮアダプタなど）と、を有し、記憶装置６に予め記憶（インストール）した図示しない所定のコンピュータ・プログラムが演算制御部５を制御することで、図１に示す各手段などの要素（１０〜６５など）を実現する。
【００１９】  これら各要素のうち、情報を記憶する手段であるメッセージ記憶手段２０や検索インデックスデータベース６５は、記憶装置６においてファイルや各種データベース（「ＤＢ」とも表す）、配列等の変数、システム設定値など任意の形式で実現するもので、そのうち検索インデックスＤＢ６５は、インターネットのＷＷＷ（ワールド・ワイド・ウェブ）上に存在する多数のウェブサイトを予めクロール（読み込み）して作成した検索用の索引データを記憶している。また、その他の情報処理を行う各要素（１０，３０など）は、以下のような各機能や処理を実現・実行する処理手段である。
【００２０】〔２．作用及び効果〕
すなわち、上記のように構成した本装置１における処理手順を、図２のフローチャートに沿って説明する。
〔２−１．メッセージ等の入力〕
まず、メッセージを伝達したい送信元のユーザは、自分の用いるクライアントシステムであるＰＣ（パーソナルコンピュータ）１から、所定のウェブページにアクセスして、メッセージを含む必要事項を入力し登録する。
【００２１】  このとき、本装置１の入力受付手段１０は、通信ネットワーク経由でアクセスしてくるクライアントシステムであるＰＣ１から、メッセージ（例えば「結婚しよう！」）と、前記メッセージを表示するキーとなるキーワード（「特殊クエリ」と呼ぶこととする。例えば「愛を込めて」など）と、について入力を受け付けるとともに、それらメッセージとキーワードとを対応付けてメッセージ記憶手段２０に記憶させる（ステップＳ１０，Ｓ２０。入力受付処理ステップ）。
【００２２】  具体的には、入力受付手段１０は、図１左側の画面例Ｇ１に例示するような登録フォームを提供し（ステップＳ１０）、この登録フォームに入力されたメッセージを含む登録データを、「登録」ボタンＢ１の操作などの契機で取得し、メッセージ記憶手段２０に記憶させる（ステップＳ２０）。このような一件ごとのメッセージ、特殊クエリなどの情報の組である登録データの例を図１上部にデータ例Ｄとして示す。ここで、メッセージは、文字列に限らず、ユーザのアップロードする画像や、ＨＴＭＬ等によるウェブページデータ、ビデオレターのような動画像ファイルなど、形式は自由である。
【００２３】  なお、このような登録データを入力受付する条件として、送信元ユーザに所定の会員登録や、利用料金の決済などを求めてよい。また、メッセージを表示する画面全体や表示欄などのデザイン（体裁）を定めるテンプレートの指定も受け付け、メッセージの一部をなすもの又は付加情報としてメッセージと共に記憶させるようにすれば、よりいっそう印象的・感動的なメッセージ伝達が実現できる。例えば、図１中の画面例Ｇ１では、テンプレートとして、選択ボックス（ドロップダウンメニュー）Ｓで「花束」を選択した状態である。
【００２４】  また、本実施形態では、入力受付手段１０は、メッセージごとに、配信時期（ここでは「配信日付」とする）についても、指定を受け付けるとともにそのメッセージ及び特殊クエリと対応付けてメッセージ記憶手段２０に記憶させるものとする。ここで、「配信時期」は、メッセージをその日時以降に表示すべき日付もしくは時刻又は日付と時刻の組合せ、幅のある数日や時間帯などでよいが、ここでは簡潔な説明のために配信日付（例えば「２００９０３３１」）とする。例えば、配信時期に幅があって始期だけでなく終期があるとき、該当の特殊クエリが一度も入力されることなく終期を過ぎると、メッセージは誰にも閲覧されることはない。
【００２５】  そして、メッセージのあて先としたいユーザには、上記のようにメッセージと対応付けて登録された特殊クエリのみを伝達すればよい。このような特殊クエリの伝達については、送信元のユーザ自ら電子メールなどで伝達してもよいし、メッセージの登録時に、見てほしいあて先のユーザのＩＤや電子メールアドレスなどを本装置１に登録し、特殊クエリを本装置からあて先のユーザに電子メールなどで伝達するように構成してもよい。
【００２６】〔２−２．検索語句入力とキーワードの検索〕
上記のようにあて先のユーザに渡された特殊クエリは、他の一般ユーザと同じウェブページや入力用画面部品などから入力される。すなわち、語句受付手段３０は、いずれかのすなわち不特定多数のクライアントシステムから、所定のウェブ検索フォームＧ２（図１右側）などで、検索語句の入力を受け付ける（ステップＳ３０。語句受付処理ステップ）。
【００２７】  そして、メッセージ取得手段４０が、前記検索語句の入力に際してその入力を行ったクライアントシステムから所定の操作が行われた場合に、メッセージ記憶手段２０を参照することにより、その検索語句と一致するキーワードを検索するとともに、その一致するキーワードが記憶されているときは、対応する前記メッセージを取得する（メッセージ取得処理ステップ）。
【００２８】  ここで、メッセージ記憶手段２０を参照する契機となる「所定の操作」は、本実施形態では、予め決められた所定の予約語（「特殊検索キー」と呼ぶこととする。例えば「Ｙ！」など）を検索語句とともに検索語句と同じ入力欄にスペースで区切るなどして一緒に組み合わせて入力することである。この予約語は、本実施形態（本装置）における運営者すなわちサービス提供者側が一律に定めるもので、メッセージの送信者ごとに定めるものではない。そして、ＰＣ１の送信元ユーザから特殊クエリ「愛を込めて」と特殊検索キー「Ｙ！」を知らされた配信先ユーザがＰＣ２から、それら特殊クエリと特殊検索キーを、本装置１の提供するウェブ検索フォームＧ２で「愛を込めて  Ｙ！」のように入力する場合を考える。
【００２９】  この場合、メッセージ取得手段４０は、ウェブ検索フォーム画面Ｇ２の検索語句入力欄Ｅに入力された語句の中に、特殊検索キーＫ（ここでは「Ｙ！」）が含まれるかを判定し（ステップＳ３５）、含まれる場合に、この特殊検索キーＫ「Ｙ！」と組み合わせて入力された検索語句Ｑ（ここでは「愛を込めて」）と一致する特殊クエリがメッセージ記憶手段２０内にあれば（ステップＳ４０）、その特殊クエリに対応するメッセージ（ここでは「結婚しよう！」が該当する）を含む登録データを取得する（ステップＳ４５）。ここで取得する登録データには、配信日付と、テンプレートの種類が含まれる。
【００３０】  なお、特殊検索キーと一緒に入力された検索語句と一致する特殊クエリが、メッセージ記憶手段２０に記憶されていなかった場合は、その検索語句をもとに通常のウェブ検索を行ってその検索結果を表示してもよいし、又は、「お探しのキーワード又はメッセージは登録されていません」のような何らかのエラーメッセージを表示してもよい。また、「一致する」特殊クエリ、とは、文字列の完全一致に限らず、全角半角や大文字小文字の相違を無視したり、一部一致などを一致とみなす実施形態も含む趣旨である。
【００３１】〔２−３．メッセージ又は検索結果の表示〕
そして、メッセージ表示手段５０は、上記のようにメッセージ取得手段４０により、メッセージを含む登録データが取得された場合、まず、本装置１の内蔵クロックから判定する現在日時（つまり、メッセージ記憶手段に記憶されているキーワードと一致する前記検索語句が入力された日時）が、取得されたメッセージの特殊クエリと対応付けられている配信時期（ここでは配信日付「２００９０３３１」）と適合するか判断する（ステップＳ４７）。
【００３２】  そして、現在の日時が配信日付と適合する場合に、メッセージ表示手段５０は、そのメッセージ（つまり、その特殊クエリ及び配信時期と対応付けられたメッセージ）を、検索語句としてその特殊クエリの入力を行ったクライアントシステムであるＰＣ２に表示させる（ステップＳ５０。メッセージ表示処理ステップ）。図１の右下方に例示する画面Ｇ３は、送信元のユーザ指定したテンプレート「花束」にしたがって、メッセージ「結婚しよう！」が表示されている状態を示す例である。
【００３３】  一方、検索語句の入力に際して、その検索語句の入力を行ったクライアントシステム（例えばＰＣ２）から前記所定の操作（特殊検索キー「Ｙ！」の入力など）が行われなかった場合には、検索表示手段６０が、検索インデックスＤＢ６５を利用したウェブ検索を行うことにより、入力された検索語句に関連するウェブサイトの検索結果を、検索語句の入力を行ったクライアントシステムであるＰＣ２に表示させる（検索表示処理ステップ）。
【００３４】〔３．効果〕
以上のように、本実施形態では、送信者が予めメッセージと対応付けて登録したキーワードを、ウェブ検索時に所定操作とともに入力してもらい、検索結果に代えて対応するメッセージを表示することにより、プロポーズやイベント案内などの個人的メッセージを予期せぬ意外性のある強力なインパクトで伝達できる。使い方によっては、特殊クエリとして登録した検索語句を相手に渡して、あたかも通常の検索が行われると見せかけ、実は特別なメッセージを表示させることができるので、いっそうインパクトあるメッセージ伝達が実現できる。もちろん、集会の情報などメッセージによっては特殊クエリを通じ、所望のグループ（大学のゼミ、門下生の団体、職場の同期会、各種サークルなど）内の複数人で共有してもよい。
【００３５】  また、上記のように本実施形態では、検索語句から対応するメッセージを表示する所定の操作として、検索語句とともに所定の予約語を入力したことを契機とすることにより、所定の操作を受け付けるために機能呼出ボタンなどを別途設けることが不要となり、ユーザインタフェースが明快となる。
【００３６】  特に、上記のように本実施形態では、メッセージを表示したい日時を送信側ユーザが自由に指定できる構成により、誕生日祝いなどメッセージの趣旨に応じたタイミングでの伝達を図ることができる。
【００３７】〔４．他の実施形態〕
なお、上記実施形態は例示に過ぎず、本発明は、以下に例示するものやそれ以外の他の実施態様も含むものである。例えば、本発明において、各手段などの要素は、コンピュータの演算制御部に限らず、ワイヤードロジック等に基づく電子回路で実現してもよい。また、各構成図、データの図、フローチャートの図などは例示に過ぎず、各要素の有無、その順序や具体的内容などは適宜変更可能である。
【００３８】  一例として、入力された検索語句に一致する特殊クエリをメッセージ記憶手段から検索する契機となる「所定の操作」は、特殊検索キーなどの予約語を同時に入力することには限定されない。例えば、図３（１）に例示するように、ウェブ検索フォームに画面Ｇ２２において、表示されている通常の「検索」ボタンＢ２ではなく、同時に表示されている「特殊検索」ボタンＢ３を操作することで、該当する特殊クエリがあれば図３（２）のようにメッセージが表示されるのでもよい。このような態様では、「Ｙ！」など所定の特殊検索キーを伝達したり入力する手間が省略できる。
【００３９】  また、メッセージを表示する条件として、所定の操作やキーワードの入力だけでなく、ユーザＩＤをもとに特定のユーザのみに表示する構成も可能である。この場合、前記入力受付手段は、前記メッセージごとに、配信先ＩＤの指定を受け付けるとともにそのメッセージ及びキーワードと対応付けて前記メッセージ記憶手段に記憶させる。また、前記メッセージ表示手段は、前記メッセージ記憶手段に記憶されている配信先ＩＤに基づくアクセスにおいて、その配信先ＩＤと対応付けられているキーワードと適合する前記検索語句が入力された場合に、そのキーワード及び配信先ＩＤと対応付けられているメッセージを、前記検索語句の入力を行ったクライアントシステムに表示させることを特徴とする。
【００４０】  このように、メッセージを表示したい相手を配信先ＩＤとして送信側ユーザが自由に指定できる構成により、プライベートなメッセージの伝達相手を特定の個人やグループのメンバーに確実に限定することが可能となる。
【符号の説明】
【００４１】１  サーバ装置
ＰＣ（ＰＣ１，ＰＣ２）  パーソナルコンピュータ
５  演算制御部
６  記憶装置
７  通信手段
１０  入力受付手段
２０  メッセージ記憶手段
３０  語句受付手段
４０  メッセージ取得手段
５０  メッセージ表示手段
６０  検索表示手段
６５  検索インデックスＤＢ
【図１】
2010250785.tif 000003
【図２】
2010250785.tif 000004
【図３】
2010250785.tif 000005